(57)【要約】【課題】パケットデータ通信の通信チャネル確立時間を短縮する。【解決手段】パケットデータの送信を行う可能性の高いアプリケーションプログラムの起動時に、無線トラフィックチャネルとＰＰＰセッションとＴＣＰセッションを確立した後無線チャネルを開放して、動作休止状態に遷移し、送信ボタンが押下されると、無線トラフィックチャネルを確立してパケットを送信するため、ＰＰＰセッションとＴＣＰセッションを確立するためのネゴシエーションにかかる処理時間分だけ送信時間が短縮され、応答特性が良くなり、無線通信装置の利便性を高める。【選択図】図１
2007124379.tif 000002
【特許請求の範囲】
【請求項１】
データ送信を行うアプリケーションの起動に伴って、無線トラフィックチャネルを確立するとともに、データ送信に必要な上位レイヤのセッションを確立し、該上位レイヤのセッションを確立した後、当該上位のレイヤのセッションを確立したまま、確立している前記無線トラフィックチャネルを開放することを特徴とする通信制御方法。
【請求項２】
前記アプリケーションにおいてデータ送信の操作がされると、無線トラフィックチャネルを確立して、該無線トラフィックチャネルおよび前記確立している上位のレイヤのセッションでデータを送信することを特徴とする請求項１記載の通信制御方法。
【請求項３】
前記アプリケーションを終了する場合は、無線トラフィックチャネルを確立して、確立している前記上位レイヤのセッションを開放することを特徴とする請求項１記載の通信制御方法。
【請求項４】
前記上位のレイヤのセッションは、ＰＰＰセッションとＴＣＰセッションであることを特徴とする請求項１記載の通信制御方法。
【請求項５】
無線によりデータ通信を行う無線通信手段と、
該無線通信手段を介してデータ送信を行うアプリケーションプログラムを記憶する記憶手段と、操作手段と、
該操作手段により前記記憶手段に記憶されているアプリケーションを起動すると、無線トラフィックチャネルを確立するとともに、データ送信に必要な上位のレイヤのセッションを確立し、該上位のレイヤのセッションを確立した後、当該上位のレイヤのセッションを確立したまま、確立している前記無線トラフィックチャネルを開放する制御手段と、
を備える無線通信装置。
【請求項６】
前記制御手段は、前記操作手段により前記アプリケーションにおいてデータ送信の操作がされると、無線トラフィックチャネルを確立して、該無線トラフィックチャネルおよび前記確立している上位のレイヤのセッションでデータを送信するように制御することを特徴とする請求項５記載の無線通信装置。
【請求項７】
前記制御手段は、前記操作手段により前記アプリケーションの終了操作がされると、無線トラフィックチャネルを確立して、確立している前記上位のレイヤのセッションを開放することを特徴とする請求項５記載の無線通信装置。
【請求項８】
前記上位のレイヤのセッションは、ＰＰＰセッションとＴＣＰセッションであることを特徴とする請求項５記載の無線通信装置。
【発明の詳細な説明】
【技術分野】
【０００１】
本発明は、データ通信を行う無線通信装置に関する。
【背景技術】
【０００２】
従来の無線通信装置においてパケットデータの送信処理を行う場合、ユーザが送信ボタンなどを押下したことを検知し、それをトリガとして、無線トラフィックチャネル、ＰＰＰ（Ｐｏｉｎｔ  ｔｏ  Ｐｏｉｎｔ  Ｐｒｏｔｏｃｏｌ）セッション、ＴＣＰ（Ｔｒａｎｓｍｉｓｓｉｏｎ  Ｃｏｎｔｒｏｌ  Ｐｒｏｔｏｃｏｌ）セッションの確立を行い、その後、パケットデータの送信を行っている。
【０００３】
図４に、従来例のパケットデータ送信処理を説明するためのフローチャートを示す。特に、ここでは従来の無線通信装置たとえば携帯電話でメールなどのパケットデータを送信する動作について説明する。
【０００４】
ステップＳＴ４１−１において、表示部に表示されたアプリケーションメニューの中からメールのアプリケーションを選択すると、メールのアプリケーションプログラムが実行される。
【０００５】
ステップＳＴ４１−２において、ユーザによってメールなどの作成が行われ、送信内容が完成して送信する場合、次のステップＳＴ４２に遷移する。
【０００６】
ステップＳＴ４２において、ユーザによって無線通信装置の送信ボタンが押下される。
【０００７】
ステップＳＴ４３において、無線通信装置と基地局間に無線トラフィックチャネルの確立が行われる。
【０００８】
ステップＳＴ４４において、無線通信装置と基地局間に無線トラフィックチャネルが確立された後、無線通信装置と基地局間にＰＰＰセッションの確立が行われる。
【０００９】
ステップ４５において、ステップＳＴ４４の後、無線通信装置とメールサーバ間にＴＣＰセッションを確立する。
【００１０】
ステップＳＴ４６において、パケットデータの送信を行う。
【００１１】
ステップＳＴ４７において、パケットデータの送信が完了した後、ＴＣＰセッション、ＰＰＰセッションを切断し、無線トラフィックチャネルを切断する（ステップＳＴ４７−１〜ステップＳＴ４７−３）。
【００１２】
この従来例の無線通信装置の送信ボタンを押下した（ステップＳＴ４２）後の送信開始からパケットデータ送信完了までに必要とされる処理時間は、無線トラフィックチャネル確立（ステップＳＴ４３）からパケットデータ通信完了（ステップＳＴ４７−１）までの期間である。
【００１３】
また、特許文献１には、電子メールを着信し、文字通話開始応答を受信したと判断したときは、メール着信時に確立してそれまで確立状態を保持していたパケット通信チャネルを利用して文字通話を開始することが開示されている。
【特許文献１】特開２００２−１１１７２４号公報
【発明の開示】
【発明が解決しようとする課題】
【００１４】
このように、従来方式の無線通信装置におけるパケットデータの送信処理では、ユーザの送信ボタンを押下するなどのアクションをトリガとし、その後、無線トラフィックチャネルとＰＰＰセッションとＴＣＰセッションの確立を行っているため、実際にユーザが送信したいパケットデータの送信処理を実行するまでに遅延が発生してしまう。このため、ユーザの送信したいパケットデータの大小に関わらず、必ず無線トラフィックチャネル、ＰＰＰセッション、ＴＣＰセッションの確立を行うための時間が必要となり、パケットデータ送信完了までのレスポンスが悪くなり、利便性を欠いていた。
また、特許文献１においては着信に関係なく新規にメールを送信する場合は従来と同様に送信するまで時間がかかる。よって、着信に関係しないメールの送信やデジタル放送の双方向サービスに対するデータ送信などには適用できない。
本発明は、上記課題に鑑みてなされるもので、無線通信装置が種々のアプリケーションプログラムを有し、その中でパケットデータ通信のためのアプリケーションプログラムが存在するときに適用される。
【課題を解決するための手段】
【００１５】
本発明の通信制御方法は、データ送信を行うアプリケーションの起動に伴って、無線トラフィックチャネルを確立するとともに、データ送信に必要な上位レイヤのセッションを確立し、該上位レイヤのセッションを確立した後、当該上位のレイヤのセッションを確立したまま、確立している前記無線トラフィックチャネルを開放することを特徴とする。
本発明の無線通信装置は、無線によりデータ通信を行う無線通信手段と、該無線通信手段を介してデータ送信を行うアプリケーションプログラムを記憶する記憶手段と、操作手段と、該操作手段により前記記憶手段に記憶されているアプリケーションを起動すると、無線トラフィックチャネルを確立するとともに、データ送信に必要な上位のレイヤのセッションを確立し、該上位のレイヤのセッションを確立した後、当該上位のレイヤのセッションを確立したまま、確立している前記無線トラフィックチャネルを開放する制御手段と、を有する。
【発明の効果】
【００１６】
本発明によりパケットデータ送信時のチャネル確立にかかる時間を短縮できる。
【発明を実施するための最良の形態】
【００１７】
以下、本発明の実施形態例の無線通信装置を図面を用いて説明する。
図１は、本発明の実施形態例である無線通信装置１００のブロック構成図である。図１に示す無線通信装置１００において、例えば携帯電話の場合、アンテナ１、通信部２、記憶部３、制御部４、表示部５、入力部６、音声処理部７、マイクロホン８、スピーカ９などで構成される。
【００１８】
アンテナ１は通信部２に接続され、不図示の基地局との間で無線信号を送信または受信するために設けられている。受信の場合、基地局から送信された無線信号をアンテナ１で受信し、この受信信号を通信部２に出力する。
また送信の場合、通信部２から送られて来た高周波高出力の無線信号を基地局に送信する。
【００１９】
通信部２は、送受信部と変復調部などで構成されている。受信部は、高周波増幅器、受信用ミキサ、Ｉ−Ｑ（Ｉｎ  Ｐｈａｓｅ−Ｑｕａｄｒａｔｕｒｅ  Ｐｈａｓｅ）復調器、スペクトラム逆拡散器、遅延検波器、などで構成され、また送信部は、送信電力増幅器、送信ミキサ、Ｉ−Ｑ変調器、スペクトラム拡散器、ＱＰＳＫ（Ｑｕａｄｒａｔｕｒｅ  Ｐａｈｓｅ  Ｓｈｉｆｔ  Ｋｅｙｉｎｇ）変調器などで構成されている。
【００２０】
通信部２は、無線網を構成する基地局との間で、無線通信に関する処理を行う。基地局と無線通信チャネンルを介してデータのやり取りを行う。
例えば、制御部４から供給される送信データを所定の変調処理を行い無線信号に変換し、アンテナ１から送出する。一方、アンテナ１で受信された無線信号を復調して受信データに変換、処理して、制御部４に出力する。
【００２１】
記憶部３は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などで構成される。ＲＯＭは、無線通信装置１００の動作に必要な情報、例えば制御部４に備えられた制御用ＣＰＵ（マイクロコンピュータ）を動作するためのプログラムなどを記憶し、このプログラムに従って制御用ＣＰＵは動作する。無線通信装置１００が携帯電話の場合、ＲＯＭは電子メールやその他機能を動作させるためのアプリケーションプログラムが記憶される。
ＲＡＭは携帯電話のメールを送信、受信するための情報や、その他一時的に保持するデータなどが記憶される。例えば、サービス情報の受信に際して制御部４で処理して得られた情報、基地局としてのアクセスポイントから受信した周辺基地局情報などが記憶される。また、ＲＡＭには、地上デジタル放送の双方向通信の送受信データ、Ｅ（電子）メールの他、ＳＭＳ（Ｓｈｏｒｔ  Ｍｅｓｓａｇｅ  Ｓｅｒｖｉｃｅ）のデータや写真、動画などの録画データ、アドレス帳などのデータも記憶される。
【００２２】
制御部４は、無線通信装置１００の全体的な動作に関する種々の処理を行う。
例えば、地上デジタル放送の双方向通信の場合、制御プログラムにより送受信を制御し、メールに関する処理の場合、メールの送信／受信、メールの表示などが適切に行われるように制御する。
【００２３】
また、制御部４は、上述したように記憶部３に格納された制御用プログラム（オペレーティングシステム、アプリケーション等）に基いて処理を実行するマイクロコンピュータ（ＣＰＵ）を有しており、これらのプログラムにしたがって種々の機能に関する処理を実行する。
【００２４】
表示部５は、たとえば液晶表示（ＬＣＤ）パネルや有機ＥＬ（ＥｌｅｃｔｒｏＬｕｍｉｎｅｓｃｅｎｃｅ）パネルなどの表示デバイスを用いて構成されており、制御部４から供給される画像データに応じた画像を表示する。
また、送受信するパケットデータの内容、無線通信装置１００を操作するためのユーザインタフェースを表示する。
また、この他、例えば、発信時における発信先の電話番号や、着信時における着信相手の電話番号、受信メールや送信メールの内容、待ち受け画面、日付、時刻、バッテリ残量等を表示する。
【００２５】
入力部６は、数字キー、文字キー、矢印キー、決定キーなどの各種の機能を持ったキーを有しており、これらのキーをユーザが操作することにより、その操作した内容を電気信号に変換して制御部４に出力する。
このように、入力部６は外部からの入力を受け付け、無線通信装置１００の操作を行うための入力インタフェースである。
【００２６】
音声処理部７は、ＤＳＰ（Ｄｉｇｉｔａｌ  Ｓｉｇｎａｌ  Ｐｒｏｃｅｓｓｏｒ）、Ａ／Ｄ（アナログ−デジタル）またはＤ／Ａ（デジタル−アナログ）変換器やＡＦ（Ａｕｄｉｏ  Ｆｒｅｑｕｅｎｃｙ）増幅器などで構成され、制御部４から供給された音声信号を処理してスピーカ９に出力する。また、マイクロホン８から入力された音声を音声信号処理して、制御部４に出力する。
例えば、マイクロホン８から入力される音声信号は増幅され、Ａ／Ｄ変換され、さらに符号化等の信号処理が行われ、このデジタル音声信号が制御部４に出力される。一方、制御部４から供給された音声データは復号処理され、Ｄ／Ａ変換され、アナログ音声信号に変換された後、増幅されてスピーカ９に出力される。
【００２７】
図２に、パケットデータを送信するフローチャートを示す。このフローチャートを用いて、本発明による無線通信装置１００におけるパケットデータの送信動作を説明する。
【００２８】
ステップＳＴ１において、ユーザによってパケットデータを送信するためのアプリケーションプログラムが起動されたか否かを確認する。アプリケーションプログラムが起動し、それが確認されるとステップＳＴ２に遷移する。
【００２９】
ステップ２において、ステップＳＴ１で起動されたアプリケーションプログラムがパケットデータの送信を行うことを目的としている場合、ユーザ操作のバックグラウンドで無線トラフィックチャネルの確立後（ＳＴ２−１）、ＰＰＰセッションの確立（ＳＴ２−２）、ＴＣＰセッションの確立（ＳＴ２−３）を行い、物理レイヤよりも上位のレイヤであるＰＰＰセッションとＴＣＰセッションだけを残して、下位レイヤである物理レイヤの無線トラフィックチャネルの開放を行う。この状態をドーマント（動作休止）状態とも称する。なお、これらの処理をユーザは意識することはない。
【００３０】
ステップＳＴ３において、無限ループ（ＳＴ３−１）でＰＰＰセッションタイマはカウントし、時間を計測する。パケットデータを送信するアプリケーションプログラムの起動中、ＰＰＰセッションタイマが満了していないかどうかがチェックされ（ＳＴ３−２）、満了したときステップＳＴ３−３に遷移し、満了しないときはステップＳＴ３−４に遷移する。
【００３１】
ステップＳＴ３−３において、ＰＰＰセッションタイマが満了した場合送信パケットデータの作成中であれば、再度ステップＳＴ２に戻り、通信路（チャネル）の確立を行う。送信内容の作成中でない場合、ＰＰＰセッション、ＴＣＰセッションを開放し、リソースの確保を行い、ステップＳＴ３−６に遷移する。
【００３２】
ステップＳＴ３−２でＰＰＰセッションタイマが満了しないときステップＳＴ３−４に遷移し、ユーザによって送信内容が作成され、送信ボタンが押下された場合（ステップＳＴ３−５）は、ステップＳＴ４へ遷移する。
送信内容は、例えば電子メールやデジタル放送の双方向通信におけるデータのアクセスに応答する送信データなどがある。
送信ボタンが押下されず（ステップＳＴ３−５）、終了ボタンが押下されると（ステップＳＴ３−６）、送信内容の作成は放棄される（または保存されても良い）（ステップＳＴ７）。この時、ＰＰＰセッションとＴＣＰセッションを開放するため、無線トラフィックチャネルを確立する（ステップＳＴ８）。無線トラフィックチャネルが確立されてステップＳＴ９に遷移する。
【００３３】
ステップＳＴ４において、ＰＰＰセッションとＴＣＰセッションはステップＳＴ２−２とステップＳＴ２−３において既に確立しているため、無線トラフィックチャネルのみ確立する。
【００３４】
ステップＳＴ５において、パケットデータの送信が行われ（ステップＳＴ５−１）、送信完了まで待機する（ステップＳＴ５−２）。
【００３５】
ステップＳＴ９において、従来手法と同様にＴＣＰセッション（ステップＳＴ９−１）とＰＰＰセッション（ステップＳＴ９−２）を切断し、更に無線トラフィックチャネルを切断し（ステップＳＴ９−３）、パケットデータの送信は終了する。
【００３６】
ステップＳＴ４とステップＳＴ５は、送信ボタンを押下してからパケットデータの送信が完了するまでに必要な時間である。このフローチャートにおいては、ＰＰＰセッションとＴＣＰセッションは未切断状態であり、これらのセッション確立に必要な時間は不要であるため、無線トラフィックチャネルのみを確立すればよい。従って、データ送信の処理時間を短縮できる。
【００３７】
このように、本発明ではユーザが送信ボタンを押すなどのアクション後、無線トラフィックチャネル、ＰＰＰセッション、ＴＣＰセッションの確立を開始するのではなく、パケットデータを流す可能性の高いアプリケーションプログラムの起動時に基づいて無線トラフィックチャネルとＰＰＰセッションとＴＣＰセッションを確立するとともに、無線チャネルを開放して動作休止状態に遷移させる。
この処理によって、ユーザがパケットデータを送信する場合、無線トラフィックチャネルのみ確立すれば良いので、ＰＰＰセッションとＴＣＰセッションを確立する必要はなく、このネゴシエーションにかかる処理時間分(２秒〜５秒程度)だけ送信時間の短縮を図ることができる。
従って、ユーザが従来型の無線通信装置を用いてパケットデータを送信する場合と比較して、送信完了までに必要とする時間が短縮されるため、レスポンスが良くなり、無線通信装置（端末）の利便性が高まる。
【００３８】
また、無線通信装置のアプリケーションプログラムが多く存在する場合、この複数のプログラムの中で特にパケットデータ通信を行うプログラムに特定して、本発明の時間短縮のための処理工程を設けるので、パケットデータ送信を行わないプログラムの開始時は本発明のプログラムは実行されないので、データ通信を行わないアプリケーションプログラムの動作は通常通りの動作を行い、本発明の処理時間が増加することは無い。
従って無線通信装置に種々のアプリケーションプログラムが存在するとき、これらのアプリケーションプログラムを効率的に動作させることができる。
【００３９】
図３に示す図は従来方法と本発明に関するデータ送信のシーケンス比較を行ったものである。図３（Ａ）は従来方法の、送信ボタンを押下した後からパケットデータ送信完了までに関するフローチャートを示す。
【００４０】
例えば、地上デジタル放送の双方向番組の送信データや、メールなどの送信パケットデータを送信する場合、送信ボタンを押下する。すると、無線トラフィックチャネルが確立された後（ステップＳＴ２１）、ＰＰＰセッションが確立され（ステップＳＴ２２）、次にＴＣＰセッションが確立さる（ステップＳＴ２３）。
そして、パケットデータが送信され（ステップＳＴ２４）、パケットデータの送信が完了する（ステップＳＴ２５）。
【００４１】
このように、図３（Ａ）に示す従来方法では、パケットデータを送信するためには、無線トラフィックチャネルの確立、ＰＰＰセッションの確立、ＴＣＰセッションの確立の３つの処理ステップが必要であり、そのために処理時間を要する。
【００４２】
図３（Ｂ）に、本発明に関するデータ送信の主要部のフローチャートを示す。従来方法と比較して、アプリケーション起動にともなってＰＰＰセッション、ＴＣＰセッションはすでに確立しているので、送信ボタン押下後のＰＰＰセッションとＴＣＰセッションの確立に要する処理ステップが省略される。
送信ボタンが押下され、無線トラフィックチャネルが確立（ステップＳＴ３１）されるとパケットデータは送信され（ステップＳＴ３２）、パケットデータの送信が完了する（ステップＳＴ３３）。
【００４３】
図３（Ａ）と図３（Ｂ）を比較すれば分かるように、従来方法と本発明の方法の差は送信キー押下後におけるＰＰＰセッションとＴＣＰセッションの確立の有無である。
本発明の方法は、アプリケーションの起動にともなってＰＰＰセッションとＴＣＰセッションの確立を行うことによって、従来方法と比較して約２〜５秒程度の処理時間の短縮を図ることができる。
【００４４】
次に、本発明の方法を用いた実施形態例を携帯電話のメール送信を例にして説明する。
携帯電話１００の主要部は図１に示したブロックで構成されている。ユーザが携帯電話１００記憶部３に格納されたアプリケーションプログラムから電子メールを選択すると、バックグラウンドで、無線トラフィックチャネルの確立、ＰＰＰセッションの確立、ＴＣＰセッションの確立が行われた後、無線トラフィックチャネルを開放してドーマント状態へ遷移する（動作休止状態へ遷移する）。
【００４５】
ユーザによるメール作成がＰＰＰセッションがネットワーク側で切られる時間を越えそうになると再度無線トラフィックチャネルを確立して、タイマをリセットする。
メールの作成が終わり、送信ボタンが押下されると、無線トラフィックチャネルが確立される。
【００４６】
無線トラフィックチャネルが確立され、パケットデータの送信が完了すると、ＴＣＰセッション、ＰＰＰセッションが切断され、さらに無線トラフィックセッションが切断され、メールのアプリケーションプログラムの動作が終了する。
【００４７】
上述したように、本発明の方法を適用することでメールの送信時にＰＰＰセッションとＴＣＰセッションの確立を行う時間を短縮することができる。
従って、本発明の無線通信装置は従来の無線通信装置を利用する場合と比較して、短時間でメールを送信することができる。
【００４８】
次に、他の実施形態のデジタル放送に関するアプリケーションの例を示す。尚、デジタル放送に関するブロック図は省略している。
デジタル放送における視聴者参加型の番組において、例えばクイズ番組などであれば、視聴者に解答を求めるような番組編成である可能性がある。視聴者に対してクイズの出題がされたデータ放送により解答を送信する場合、アプリケーション起動やサービス（番組）内容に基づいて本発明の方法を行うことで、視聴者であるユーザは従来の無線通信装置を利用するより短時間でクイズに対する解答を送信することができる。
また、送信完了までに必要とする時間が短時間であるため、解答が送信されたかどうか確認する時間も短くなり、より番組内容の閲覧に集中することができる。
【００４９】
以上説明したように、パケットデータを流す可能性の高いアプリケーションプログラムの起動の際、またはデータ送信を行うサービスを視聴する際に無線トラフィックチャネルとＰＰＰセッションとＴＣＰセッションを確立した後、動作休止状態に遷移させる。
この処理によって、ユーザがパケットデータを送信する場合、無線トラフィックチャネルのみ確立すれば良いので、ＰＰＰセッションとＴＣＰセッションを確立するためのネゴシエーションにかかる処理時間分だけ送信時間の短縮を図ることができる。
従って、レスポンスが良くなり、端末の利便性が高まる。
【図面の簡単な説明】
【００５０】
【図１】本発明の無線通信装置のブロック構成を示す図である。
【図２】本発明の無線通信装置の動作を説明するためのフローチャートである。
【図３】本発明の無線通信装置と従来例の動作を比較するためのフロ−チャートである。
【図４】従来例の無線通信装置の動作を説明するためのフローチャートである。
【符号の説明】
【００５１】
１…アンテナ、２…通信部、３…記憶部、４…制御部、５…表示部、６…入力部、７…音声処理部、８…マイクロホン、９…スピーカ、１００…無線通信装置（携帯電話）。
【図１】
2007124379.tif 000003
【図２】
2007124379.tif 000004
【図３】
2007124379.tif 000005
【図４】
2007124379.tif 000006